【手続補正書】
【提出日】平成18年6月28日(2006.6.28)
【手続補正１】
【補正対象書類名】明細書
【補正対象項目名】特許請求の範囲
【補正方法】変更
【補正の内容】
【特許請求の範囲】
【請求項１】
原稿載置台上に載置された原稿の原稿像を読み取る読取手段と、
この読取手段によって読み取られた原稿像に基づいて前記原稿像を媒体に形成する像形成手段と、
この像形成手段によって原稿像が形成された媒体を排出する排出手段と、
前記読取手段の下方部に設けられ、前記排出手段によって排出される前記媒体を受ける受け部と、
この受け部と前記読取手段との間隔が拡がる方向に前記読取手段を移動自在に支持する支持手段と
を具備したことを特徴とする画像形成装置。
【請求項２】
原稿載置台上に載置された原稿の原稿像を読み取る外形状が直方体の読取手段と、
この読取手段によって読み取られた原稿像に基づいて前記原稿像を媒体に形成する像形成手段と、
この像形成手段によって原稿像が形成された媒体を排出する排出手段と、
前記読取手段の下方部に設けられ、前記排出手段によって排出される前記媒体を受ける受け部と、
前記読取手段をその四辺のうちの一辺側を支点として開閉自在に支持する支持手段と
を具備したことを特徴とする画像形成装置。
【請求項３】
原稿載置台上に載置された原稿の原稿像を読み取る読取手段と、
この読取手段を所定位置にロックするロック手段と、
前記読取手段によって読み取られた原稿像に基づいて前記原稿像を媒体に形成する像形成手段と、
この像形成手段によって原稿像が形成された媒体を排出する排出手段と、
前記読取手段の下方部に設けられ、前記排出手段によって排出される前記媒体を受ける受け部と、
この受け部と前記読取手段との間隔が拡がる方向に前記読取手段を移動自在に支持する支持手段と、
前記受け部との間隔が拡がる方向に前記読取手段を移動させる際に、前記ロック手段のロックを解除する操作手段と
を具備したことを特徴とする画像形成装置。
【請求項４】
原稿載置台上に載置された原稿の原稿像を読み取る読取手段と、
この読取手段によって読み取られた原稿像に基づいて前記原稿像を媒体に形成する像形成手段と、
この像形成手段によって原稿像が形成された媒体を排出する排出手段と、
前記読取手段の下方部に設けられ、前記排出手段によって排出される前記媒体を受ける受け部と、
この受け部と前記読取手段との間隔が拡がる方向に前記読取手段を移動自在に支持する支持手段と、
この支持手段に設けられ、前記読取手段が前記受け部との間隔が拡がる方向に移動された状態から逆方向へ移動する動きに対し所定量の負荷を付与する負荷付与手段と
を具備したことを特徴とする画像形成装置。
【手続補正２】
【補正対象書類名】明細書
【補正対象項目名】０００８
【補正方法】変更
【補正の内容】
【０００８】
【課題を解決するための手段】
上記課題を解決するため、請求項１記載のものは、原稿載置台上に載置された原稿の原稿像を読み取る読取手段と、この読取手段によって読み取られた原稿像に基づいて前記原稿像を媒体に形成する像形成手段と、この像形成手段によって原稿像が形成された媒体を排出する排出手段と、前記読取手段の下方部に設けられ、前記排出手段によって排出される前記媒体を受ける受け部と、この受け部と前記読取手段との間隔が拡がる方向に前記読取手段を移動自在に支持する支持手段とを具備したことを特徴とする。
【手続補正３】
【補正対象書類名】明細書
【補正対象項目名】０００９
【補正方法】変更
【補正の内容】
【０００９】
請求項２記載のものは、原稿載置台上に載置された原稿の原稿像を読み取る外形状が直方体の読取手段と、この読取手段によって読み取られた原稿像に基づいて前記原稿像を媒体に形成する像形成手段と、この像形成手段によって原稿像が形成された媒体を排出する排出手段と、前記読取手段の下方部に設けられ、前記排出手段によって排出される前記媒体を受ける受け部と、前記読取手段をその四辺のうちの一辺側を支点として開閉自在に支持する支持手段とを具備したことを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項３記載のものは、原稿載置台上に載置された原稿の原稿像を読み取る読取手段と、この読取手段を所定位置にロックするロック手段と、前記読取手段によって読み取られた原稿像に基づいて前記原稿像を媒体に形成する像形成手段と、この像形成手段によって原稿像が形成された媒体を排出する排出手段と、前記読取手段の下方部に設けられ、前記排出手段によって排出される前記媒体を受ける受け部と、この受け部と前記読取手段との間隔が拡がる方向に前記読取手段を移動自在に支持する支持手段と、前記受け部との間隔が拡がる方向に前記読取手段を移動させる際に、前記ロック手段のロックを解除する操作手段とを具備したことを特徴とする。
【手続補正６】
【補正対象書類名】明細書
【補正対象項目名】００１２
【補正方法】変更
【補正の内容】
【００１２】
請求項４記載のものは、原稿載置台上に載置された原稿の原稿像を読み取る読取手段と、この読取手段によって読み取られた原稿像に基づいて前記原稿像を媒体に形成する像形成手段と、この像形成手段によって原稿像が形成された媒体を排出する排出手段と、前記読取手段の下方部に設けられ、前記排出手段によって排出される前記媒体を受ける受け部と、この受け部と前記読取手段との間隔が拡がる方向に前記読取手段を移動自在に支持する支持手段と、この支持手段に設けられ、前記読取手段が前記受け部との間隔が拡がる方向に移動された状態から逆方向へ移動する動きに対し所定量の負荷を付与する負荷付与手段とを具備したことを特徴とする。
【手続補正７】
【補正対象書類名】明細書
【補正対象項目名】００１５
【補正方法】変更
【補正の内容】
【００１５】
図中１は装置本体で、この装置本体１の上面部には読取手段としての原稿読取部２が設けられている。原稿読取部２の上面部には原稿載置台としての原稿ガラス３が設けられ、この原稿ガラス３は原稿カバー４により開閉されるようになっている。
【手続補正８】
【補正対象書類名】明細書
【補正対象項目名】００２０
【補正方法】変更
【補正の内容】
【００２０】
装置本体１内の下部には、媒体としての用紙を収納する給紙カセット２１が設けられている。給紙カセット２１の一側上部側には用紙を取出すピックアップローラ２２及び取出された用紙を供給する給紙ローラ２３が設けられている。給紙ローラ２３により給紙された用紙は搬送路２４に沿って搬送される。搬送路２４中には用紙を挟持搬送する搬送ローラ対２６、用紙を整位する整位ローラ２７が配設されている。搬送路２４は感光体ドラム６と転写ローラ１０との間の画像転写部を通過して上方へ延出する。この上方へ延出する搬送路２４中には定着装置２９及び排出手段としての排紙ローラ３０が配設されている。画像読取部２の下方部には、排紙ローラ３０から排出される用紙を受ける受け部としての排出用の空間部３２が設けられている。
【手続補正９】
【補正対象書類名】明細書
【補正対象項目名】００２４
【補正方法】変更
【補正の内容】
【００２４】
そこで、この発明では図２に示すように、原稿読取部２を装置本体１に開閉自在に設けている。即ち、原稿読取部２は外形状が直方体で、その四辺のうちの一辺側、例えば、リヤ側の一辺側が支軸４６を介して装置本体１に開閉自在に取付けられ、排出用空間部３２との間隔が拡がる方向に移動自在となっている。
【手続補正１０】
【補正対象書類名】明細書
【補正対象項目名】００２８
【補正方法】変更
【補正の内容】
【００２８】
図３は上記した原稿読取部２のロック機構４８及び原稿カバー４のロック機構４９を示すものである。
【手続補正１１】
【補正対象書類名】明細書
【補正対象項目名】００３６
【補正方法】変更
【補正の内容】
【００３６】
まず、原稿をセットする場合には、図４に示すように原稿カバー４を上方に回動させて開放する。このように原稿カバー４を開放させたのち、原稿ガラス３の上に原稿を載置し、ついで、原稿カバー４を閉じる。この状態から上記したように、原稿像を読み取って原稿像を用紙に形成し、排出用空間部３２に用紙を排出する。この画像形成を終了すると、検知センサ７４により原稿カバー４の被検出体７３が検出されて原稿カバー４が閉じられた状態を確認後、アクチェータ５３に通電され、スライダ５２がバネ材５４の付勢力に抗して矢印方向に移動される。
【手続補正１２】
【補正対象書類名】明細書
【補正対象項目名】００４６
【補正方法】変更
【補正の内容】
【００４６】
【発明の効果】
本発明は以上説明したように、原稿読取部を受け部との間隔が拡がる方向に移動自在に設けるため、原稿読取部と受け部との間隔を拡げることができ、受け部に排出された媒体を容易に見ることができるとともに、その取出しも容易となる。